(57)【要約】【課題】表示の対象となる運転支援情報に応じて、当該運転支援情報を表示する位置を変更することが可能な情報表示装置、情報表示システム、情報表示方法及びプログラムを提供する。【解決手段】車両のウインドシールド上に画像を投影して表示する情報表示装置であって、前記車両に関する車両情報を取得する取得手段と、前記車両の運転支援に係る複数の運転支援情報の中から、表示の対象となる運転支援情報を前記車両情報に基づいて選択する選択手段と、前記選択手段で選択された前記運転支援情報に応じて、当該運転支援情報を前記ウインドシールド上に表示する位置を決定する決定手段と、前記運転支援情報を含んだ前記画像を生成する生成手段と、前記決定手段が決定した位置に、前記生成手段が生成した前記画像を表示させる表示制御手段と、を備える。【選択図】図１１
2017215816.tif 000002
【特許請求の範囲】
【請求項１】
車両のウインドシールド上に画像を投影して表示する情報表示装置であって、
前記車両に関する車両情報を取得する取得手段と、
前記車両の運転支援に係る複数の運転支援情報の中から、表示の対象となる運転支援情報を前記車両情報に基づいて選択する選択手段と、
前記選択手段で選択された前記運転支援情報に応じて、当該運転支援情報を前記ウインドシールド上に表示する位置を決定する決定手段と、
前記運転支援情報を含んだ前記画像を生成する生成手段と、
前記決定手段が決定した位置に、前記生成手段が生成した前記画像を表示させる表示制御手段と、
を備える情報表示装置。
【請求項２】
前記決定手段は、前記運転支援情報の重要度に応じて、当該運転支援情報を前記ウインドシールド上に表示する位置を決定する請求項１に記載の情報表示装置。
【請求項３】
前記選択手段は、前記車両情報に含まれた、前記車両に対する他の物体との位置関係を示す情報に基づいて、当該位置関係を表示するための前記運転支援情報を選択し、
前記決定手段は、前記運転支援情報で表示される前記位置関係に応じて、当該運転支援情報を前記ウインドシールド上に表示する位置を決定する請求項１又は２に記載の情報表示装置。
【請求項４】
前記決定手段は、前記決定した位置が、既に表示されている既存の前記運転支援情報の位置と相違する場合、前記運転支援情報の各々について予め定められた優先度に基づいて、表示する位置を決定する請求項１〜３の何れか一項に記載の情報表示装置。
【請求項５】
前記表示制御手段は、前記優先度が低い方の前記運転支援情報を非表示とする請求項４に記載の情報表示装置。
【請求項６】
前記車両を運転する運転者の視線位置を検出する検出手段を更に備え、
前記決定手段は、前記検出手段が検出した前記視線位置に応じて、前記決定した位置を変更する請求項１〜５の何れか一項に記載の情報表示装置。
【請求項７】
前記生成手段が生成した前記画像を表す光線を投射する投射手段と、
前記投射手段から投射された前記光線を反射し、その反射光を前記ウインドシールド上に投影する反射手段と、
前記反射手段の反射角度を変更する投影位置変更手段と、
を更に備え、
前記表示制御手段は、前記投影位置変更手段を制御することで、前記決定手段が決定した前記ウインドシールド上の位置に、前記反射光を投影させる請求項１〜６の何れか一項に記載の情報表示装置。
【請求項８】
車両に関する車両情報を取得する取得手段と、
前記車両の運転支援に係る複数の運転支援情報の中から、表示の対象となる運転支援情報を前記車両情報に基づいて選択する選択手段と、
前記選択手段で選択された前記運転支援情報に応じて、当該運転支援情報を前記車両のウインドシールド上に表示する位置を決定する決定手段と、
前記運転支援情報を含んだ画像を生成する生成手段と、
前記生成手段が生成した前記画像を表す光線を投射する投射手段と、
前記投射手段から投射された前記光線を反射し、その反射光を前記ウインドシールド上に投影する反射手段と、
前記反射手段の反射角度を変更する投影位置変更手段と、
前記投影位置変更手段を制御し、前記決定手段が決定した前記ウインドシールド上の位置に、前記反射光を投影させる表示制御手段と、
を備える情報表示システム。
【請求項９】
車両のウインドシールド上に画像を投影して表示する情報表示装置の情報表示方法であって、
前記車両に関する車両情報を取得する取得ステップと、
前記車両の運転支援に係る複数の運転支援情報の中から、表示の対象となる運転支援情報を前記車両情報に基づいて選択する選択ステップと、
前記選択ステップで選択された前記運転支援情報に応じて、当該運転支援情報を前記ウインドシールド上に表示する位置を決定する決定ステップと、
前記運転支援情報を含んだ前記画像を生成する生成ステップと、
前記決定ステップで決定された位置に、前記生成ステップで生成された前記画像を表示させる表示制御ステップと、
を含む情報表示方法。
【請求項１０】
車両のウインドシールド上に画像を投影して表示する情報表示装置のコンピュータを、
前記車両に関する車両情報を取得する取得手段と、
前記車両の運転支援に係る複数の運転支援情報の中から、表示の対象となる運転支援情報を前記車両情報に基づいて選択する選択手段と、
前記選択手段で選択された前記運転支援情報に応じて、当該運転支援情報を前記ウインドシールド上に表示する位置を決定する決定手段と、
前記運転支援情報を含んだ前記画像を生成する生成手段と、
前記決定手段が決定した位置に、前記生成手段が生成した前記画像を表示させる表示制御手段と、
して機能させるためのプログラム。
【発明の詳細な説明】
【技術分野】
【０００１】
本発明は、情報表示装置、情報表示システム、情報表示方法及びプログラムに関する。
【背景技術】
【０００２】
近年、車両を運転する運転者への情報提示手段としてＨＵＤ（Head  Up  Display）が普及し始めている。車両用のＨＵＤは、運転者が運転しているときに見ている前方の視界に虚像（画像）を表示し、それを情報提示の手段として用いることで、運転者が視点を大きく移動させることなく、運転支援に係る情報（運転支援情報）を運転者に提供することを可能にする。車両用のＨＵＤに関しては、従来、スクリーンの位置を光路方向に可変とすることで、表示する画像のサイズを変更可能な技術が提案されている（例えば、特許文献１参照）。また、近年では、背景に対応して付加的な情報を重畳表示する、いわゆるＡＲ（拡張現実）技術が知られている。
【発明の概要】
【発明が解決しようとする課題】
【０００３】
しかしながら、従来の車両用のＨＵＤでは、決まった範囲にしか情報を表示することができず、運転支援情報に応じてその表示位置を変えることはできない。そのため、例えば、ＡＲを取り入れた場合であっても、重畳できる範囲は固定されているため、現実環境に応じた位置に運転支援情報を表示することは困難である。なお、特許文献１では、画像のサイズの拡大縮小はできるものの、その表示範囲は限られるため、上記の問題を解決することはできない。
【０００４】
本発明は、上記に鑑みてなされたものであって、表示の対象となる運転支援情報に応じて、当該運転支援情報を表示する位置を変更することが可能な情報表示装置、情報表示システム、情報表示方法及びプログラムを提供することを目的とする。
【課題を解決するための手段】
【０００５】
上述した課題を解決し、目的を達成するために、本発明は、車両のウインドシールド上に画像を投影して表示する情報表示装置であって、前記車両に関する車両情報を取得する取得手段と、前記車両の運転支援に係る複数の運転支援情報の中から、表示の対象となる運転支援情報を前記車両情報に基づいて選択する選択手段と、前記選択手段で選択された前記運転支援情報に応じて、当該運転支援情報を前記ウインドシールド上に表示する位置を決定する決定手段と、前記運転支援情報を含んだ前記画像を生成する生成手段と、前記決定手段が決定した位置に、前記生成手段が生成した前記画像を表示させる表示制御手段と、を備える。
【発明の効果】
【０００６】
本発明によれば、表示の対象となる運転支援情報に応じて、当該運転支援情報を表示する位置を変更することができる。
【図面の簡単な説明】
【０００７】
【図１】図１は、第１の実施形態に係るＨＵＤ装置を搭載した自動車の構成を模式的に示す図である。
【図２】図２は、第１の実施形態に係るＨＵＤ装置の内部構成を模式的に示す図である。
【図３】図３は、第１設定情報のデータ構成の一例を模式的に示す図である。
【図４】図４は、第２設定情報のデータ構成の一例を模式的に示す図である。
【図５】図５は、コンテンツの表示位置と、重畳距離との関係を説明するための図である。
【図６】図６は、第１の実施形態の表示制御部が実行する表示制御処理の一例を示すフローチャートである。
【図７】図７は、第１の実施形態の映像表示装置が表示するコンテンツの見え方を説明するための図である。
【図８】図８は、第１の実施形態のＨＵＤ装置の動作を説明するためのシーケンス図である。
【図９】図９は、ＨＵＤ装置により表示されるコンテンツの一例を模式的に示す図である。
【図１０】図１０は、図９に示したコンテンツの表示方法を説明するための図である。
【図１１】図１１は、ＨＵＤ装置により表示されるコンテンツの他の例を模式的に示す図である。
【図１２】図１２は、図１１で表示される画像と、表示領域との関係を説明するための図である。
【図１３】図１３は、図１１に示したコンテンツの表示方法を説明するための図である。
【図１４】図１４は、第２の実施形態に係るＨＵＤ装置を搭載した自動車の構成を模式的に示す図である。
【図１５】図１５は、第２の実施形態に係るＨＵＤ装置の内部構成を模式的に示す図である。
【図１６】図１６は、第２の実施形態の表示制御部が実行する表示位置変更処理の一例を示すフローチャートである。
【図１７】図１７は、表示領域の表示位置と、運転者の視線位置との関係を説明するための図である。
【図１８】図１８は、表示領域の表示位置と、運転者の視線位置との関係を説明するための図である。
【図１９】図１９は、表示領域の表示位置と、運転者の視線位置との関係を説明するための図である。
【図２０】図２０は、表示領域の表示位置と、運転者の視線位置との関係を説明するための図である。
【図２１】図２１は、表示領域の表示位置と、運転者の視線位置との関係を説明するための図である。
【図２２】図２２は、第２の実施形態のＨＵＤ装置の動作を説明するためのシーケンス図である。
【発明を実施するための形態】
【０００８】
以下、添付図面を参照しながら、本発明に係る情報表示装置、情報表示システム、情報表示方法及びプログラムの実施形態を詳細に説明する。なお、この実施形態によりこの発明が限定されるものではない。
【０００９】
［第１の実施形態］
図１は、第１の実施形態に係るＨＵＤ装置を搭載した自動車の構成を模式的に示す図である。また、図２は、第１の実施形態に係るＨＵＤ装置の内部構成を模式的に示す図である。
【００１０】
ＨＵＤ装置１００は、例えば、車両２００のダッシュボード内に設置される。ＨＵＤ装置１００は、映像表示装置１１と、制御部１２と、メモリ１３と、通信部１４とを備える。なお、図１では、制御部１２、メモリ１３及び通信部１４の図示を省略している。
【００１１】
映像表示装置１１は、作像部１１１と、ミラー１１２と、投影位置制御機構１１３とを有する。作像部１１１は、制御部１２で生成された画像を表す光線（以下、単に画像ともいう）を投射する光学ユニットである。作像部１１１は、例えば、液晶方式やＤＬＰ（Digital  Light  Processing）方式等のプロジェクタ装置、レーザ走査方式のレーザプロジェクタ装置を用いることができる。本実施形態では、作像部１１１としてレーザプロジェクタ装置を用いるものとする。なお、レーザプロジェクタ装置を用いることの利点については後述する。
【００１２】
ミラー１１２は、作像部１１１から投射される光線の光路上に設置される。ミラー１１２は、作像部１１１から投射された光線を車両２００のウインドシールド２０１の方向に反射させ、その反射光をウインドシールド２０１上に投影する。これにより、車両２００の運転者Ｄは、ウインドシールド２０１上に表示された画像（虚像）を観察することができる。
【００１３】
ミラー１１２の反射角度θは、投影位置制御機構１１３によって変更可能に構成されている。投影位置制御機構１１３は、制御部１２の制御の下、ミラー１１２の反射角度θを変更することで、ウインドシールド２０１上での画像の表示位置、つまりウインドシールド２０１での高さ方向の位置を変更する。
【００１４】
例えば、投影位置制御機構１１３は、反射角度θの変更により、ミラー１１２によって反射される光の光路を光路Ｌ１とすることで、ウインドシールド２０１上での画像の表示位置を、ウインドシールド２０１の上方向に位置付ける。また、投影位置制御機構１１３は、反射角度θの変更により、ミラー１１２によって反射される光の光路を光路Ｌ２とすることで、ウインドシールド２０１での画像の表示位置を、ウインドシールド２０１の下方向に位置付ける。なお、投影位置制御機構１１３の構成は特に問わず、角度調整等に係る公知技術を用いることができる。
【００１５】
また、作像部１１１は、ウインドシールド２０１に投影される画像（コンテンツ）が視認可能な状態となるよう、天地の反転等を行ってもよい。また、作像部１１１は、ウインドシールド２０１に投影される画像のサイズや形状が略同等となるよう、ミラー１１２の反射角度θの変更に応じて、歪み補正等を行ってもよい。
【００１６】
制御部１２は、ＣＰＵ（Central  Processing  Unit）等のプロセッサ、ＲＯＭ（Read  Only  Memory）、ＲＡＭ（Random  Access  Memory）等のコンピュータ構成を有する。制御部１２は、ＨＵＤ装置１００の動作を統括的に制御する。
【００１７】
メモリ１３は、制御部１２（プロセッサ）が実行可能な各種のプログラムや、ＨＵＤ装置１００の動作に係る各種の設定情報を記憶する。例えば、メモリ１３は、設定情報として、第１設定情報１３１及び第２設定情報１３２を予め記憶している。
【００１８】
通信部１４は、例えばＣＡＮ（Control  Area  Network）等の通信規格を用いて、外部装置と通信するための通信インタフェースである。通信部１４は、車両２００に搭載されたセンシング機器や車両制御装置、ナビゲーション装置等の外部装置（何れも図示せず）から、車両２００に関する車両情報を受信する。通信部１４が受信する車両情報は特に問わないものとする。例えば、通信部１４は、車両２００の速度、前方車両との車間距離、車線の位置や車線からの逸脱通知等、車両２００の走行状態を示す情報を車両情報として受信する。また、車両２００が前方の車両に追従して自動走行する機能を有している場合、通信部１４は、追従先の車両の位置（車間距離）を示す情報を車両情報として受信する。また、通信部１４は、ＧＰＳ機能等により得られた現在の位置を示す情報や、ナビゲーション機能により得られたチェックポイント等の情報を車両情報として受信する。なお、外部装置による車両情報の取得方法は特に問わず、公知の方法を用いることが可能である。
【００１９】
また、制御部１２は、図２に示すように、コンテンツ選択部１２１と、表示制御部１２２と、画像生成部１２３とを機能部として備える。これら機能部の一部又は全ては、プロセッサと、ＲＯＭやメモリ１３に記憶されたプログラムとの協働によりＲＡＭ上に実現されるソフトウェア構成としてもよい。また、これら機能部の一部又は全ては、各機能を実現するよう設計された一又は複数の処理回路（例えば、ＡＳＩＣ（Application  Specific  Integrated  Circuit）等）によって実現されるハードウェア構成としてもよい。
【００２０】
コンテンツ選択部１２１は、通信部１４を介して車両情報を取得する。また、コンテンツ選択部１２１は、取得した車両情報に基づいて、運転支援に係る複数のコンテンツ（運転支援情報）の中から、表示の対象となるコンテンツを選択する。より詳細には、コンテンツ選択部１２１は、メモリ１３に記憶された第１設定情報１３１を参照し、車両情報に含まれた各種の情報を表示するためのコンテンツや、その表示の仕方を決定する。
【００２１】
図３は、第１設定情報１３１のデータ構成の一例を模式的に示す図である。図３に示すように、第１設定情報１３１は、データ項目として「コンテンツ」、「車両情報」、「情報の変化」及び「表示方法」を保持する。
【００２２】
データ項目「コンテンツ」には、各コンテンツを識別するための名称や識別子等が設定される。例えば、車間距離コンテンツは、車間距離の認識を補助するためのコンテンツであり、前方車両との車間距離を示すゲージや、前方車両の位置を示すマーカー等を示す。また、追従表示コンテンツは、追従機能の認識を補助するためのコンテンツであり、追従先車両との車間距離を示すゲージや、追従先車両の位置を示すマーカー等を示す。
【００２３】
データ項目「車両情報」には、通信部１４が受信した車両情報に含まれる各情報の細目が設定される。データ項目「情報の変化」には、データ項目「車両情報」で設定された細目について、表示内容を変化させる際の条件が設定される。また、データ項目「表示方法」には、データ項目「情報の変化」に設定された条件を満たした場合での、コンテンツの表示方法や変更方法が設定される。
【００２４】
図３では、車間距離コンテンツの細目として、データ項目「車両情報」に車両距離認識補助機能のオン／オフと、前方車間距離とを設定している。また、追従表示コンテンツの細目として、データ項目「車両情報」に車両追従機能のオン／オフと、前方車両位置とを設定している。なお、車両距離認識補助機能及び車両追従機能のオン／オフは、運転者Ｄ自身が切り替え可能な構成を想定している。また、通信部１４は、機能のオン／オフを指示する情報を車両情報として受信する。
【００２５】
例えば、コンテンツ選択部１２１は、車両情報から車両距離認識補助機能がオンに切り替わったことを検知すると、該当する「表示方法」の設定内容に基づき、車間距離コンテンツの表示開始を決定する。また、コンテンツ選択部１２１は、車両情報から前方車両との車間距離が５０ｍ未満になったことを検知すると、該当する「表示方法」の設定内容に基づき、車間距離コンテンツを重畳距離「近」に表示することを決定する。また、コンテンツ選択部１２１は、車両情報から前方車両との車間距離が５０ｍ以上になったことを検知すると、該当する「表示方法」の設定内容に基づき、車間距離コンテンツを重畳距離「遠」に表示することを決定する。ここで、重畳距離は、ウインドシールド２０１上に表示された画像（コンテンツ）の、運転者Ｄから見た見かけ上の距離を意味し、ウインドシールド２０１上での表示位置（高さ）を指示するものである。なお、詳細については後述する。
【００２６】
また、例えば、コンテンツ選択部１２１は、車両情報から車両追従機能がオンに切り替わったことを検知すると、該当する「表示方法」の設定内容に基づき、追従表示コンテンツの表示開始を決定する。また、コンテンツ選択部１２１は、車両情報から追従先の車両の位置（車間距離）を検知すると、該当する「表示方法」の設定内容に基づき、追従表示コンテンツをその車間距離に応じた重畳距離（近〜遠）に表示することを決定する。
【００２７】
なお、第１設定情報１３１が保持するコンテンツの種別や各種の設定は、図３の例に限らないものとする。例えば、後述する、車線逸脱警告コンテンツや、速度コンテンツ、ナビチェックポイントコンテンツ等についても、第１設定情報１３１に設定することができる。また、一部のコンテンツ（例えば、速度コンテンツ等）については、常時表示されるよう設定してもよい。
【００２８】
図２に戻り、表示制御部１２２は、コンテンツの表示を制御する機能部である。表示制御部１２２は、コンテンツ選択部１２１から表示対象のコンテンツが指示されると、当該コンテンツを含む画像の生成を画像生成部１２３に指示する。
【００２９】
また、表示制御部１２２は、メモリ１３に記憶された第２設定情報１３２に基づき、コンテンツ選択部１２１から指示されたコンテンツの、ウインドシールド２０１上での表示位置を決定する。また、表示制御部１２２は、既存のコンテンツが既に表示されている場合には、その既存のコンテンツの表示位置に基づいて、コンテンツ選択部１２１から指示されたコンテンツの表示位置を決定する。そして、表示制御部１２２は、決定した表示位置を映像表示装置１１に指示する。
【００３０】
図４は、第２設定情報１３２のデータ構成の一例を模式的に示す図である。図４に示すように、第２設定情報１３２は、データ項目として「コンテンツ」、「区分」、「重畳距離」及び「表示優先度」を保持する。
【００３１】
データ項目「コンテンツ」は、第１設定情報１３１のデータ項目「コンテンツ」に対応するものであり、各コンテンツを識別するための名称や識別子等が設定される。図４では、上述した車間距離コンテンツ及び追従表示コンテンツの他、車線逸脱警告コンテンツ、速度コンテンツ、ナビチェックポイントコンテンツが設定された例を示している。
【００３２】
車線逸脱警告コンテンツは、車両２００が車線を逸脱しそうな状態であることを通知するためのコンテンツであり、車線位置を示すマーカー等を示す。速度コンテンツは、車両２００の速度を通知するためのコンテンツであり、速度を示す。ナビチェックポイントコンテンツは、ナビゲーション機能により指示された次のチェックポイント（交差点等）を通知するためのコンテンツであり、チェックポイントまでの距離や方向を示す。
【００３３】
データ項目「区分」には、各コンテンツの表示位置に係る区分が設定される。図４では、区分としてＡＲと通常とを設定した例を示している。ＡＲは、現実世界の状況に応じた位置に表示するコンテンツを意味する。ここで、現実世界の状況とは、例えば、路面上での車両２００と他の物体（前方車両や車線等）との位置関係等を意味する。また、通常は、現実世界の状況によらず、一定の表示位置に表示するコンテンツを意味する。図４では、通常区分のコンテンツを、重畳距離「近」に表示するように設定した例を示している。
【００３４】
データ項目「重畳距離」には、コンテンツを表示する際の、ウインドシールド２０１での表示位置（高さ）を指示する情報が設定される。図４では、データ項目「重畳距離」として「近」又は「遠」が設定された例を示している。なお、データ項目「重畳距離」に「近〜遠」が表記されたコンテンツには、コンテンツ選択部１２１で決定された重畳距離が使用されるものとする。
【００３５】
ここで、図５を参照して、ウインドシールド２０１上でのコンテンツの表示位置（高さ）と、重畳距離との関係について説明する。図５は、コンテンツの表示位置と、重畳距離との関係を説明するための図である。図５（ａ）は、運転者Ｄがウインドシールド２０１越しに見た車両２００の前方風景を模式的に示している。また、図５（ｂ）は、車両２００の前方風景を上から見た状態を模式的に示している。なお、車両３００は、車両２００の前方車両である。
【００３６】
上述したように、映像表示装置１１では、ウインドシールド２０１上での表示位置を上下方向に変更することが可能である。図５（ａ）に示す表示領域Ａ１１は、ウインドシールド２０１の上方向に位置付けた場合の表示領域を示している。ここで、表示領域とは、ミラー１１２が反射した（する）光線によって形成される領域であり、この表示領域内に画像（コンテンツ）が含まれる。また、表示領域Ａ１２は、ウインドシールド２０１の下方向に位置付けた場合の表示領域を示している。
【００３７】
運転者Ｄから見た表示領域Ａ１１、Ａ１２の現実世界での存在位置を仮想的に重畳すると、表示領域Ａ１１、Ａ１２は、図５（ｂ）に示すように、車両２００の前方の路面上に位置するように見えることになる。また、運転者Ｄ（車両２００）と、表示領域Ａ１１及び表示領域Ａ１２との見かけ上の距離を重畳距離とすると、表示領域Ａ１１と表示領域Ａ１２とでは、重畳距離が相違する。具体的には、運転者Ｄから見て、表示領域Ａ１１よりも表示領域Ａ１２のほうが近くに感じられることになる。このように、ウインドシールド２０１上での表示位置を上下方向に変更することで、運転者Ｄが知覚する重畳距離を遠近方向に変更することができる。つまり、表示領域を上方に表示するほど重畳距離は遠くなり、表示領域を下方に表示するほど重畳距離は近くなる。
【００３８】
第２設定情報１３２では、図５で示した重畳距離と表示位置（高さ）との関係に基づき、各コンテンツのウインドシールド２０１上での表示位置を重畳距離で定義している。なお、重畳距離「遠」及び「近」が、実際にどの程度の高さを示すかについては特に問わず、車両２００の構成等に応じて任意に設定することが可能である。また、重畳距離は２段階の設定（遠、近）に限らず、３以上の多段階で設定してもよい。
【００３９】
コンテンツに対する重畳距離は、任意に設定することが可能である。例えば、コンテンツの重要度に応じて重畳距離を設定してもよい。ここで、重要度の高いコンテンツとは、例えば、事故に繋がるような状況を通知するコンテンツ等、運転者Ｄの安全性の確保に係るコンテンツを意味する。この場合、重要度の高いコンテンツほど、運転者Ｄの視点に近い重畳距離「遠」に設定することで、運転者Ｄに対してより確実に通知することができる。図４では、重要度の比較的低い、速度コンテンツと、ナビチェックポイントコンテンツとを、運転者Ｄの視点から遠い重畳距離「近」に設定した例を示している。
【００４０】
また、区分がＡＲのコンテンツ（車間距離、追従表示）については、コンテンツ選択部１２１との協働により、現実環境に応じた重畳距離を採用している。これにより、例えば、前方車両との車間距離に応じた表示位置に、対応するコンテンツを表示することができるため、現実を拡張する手段（ＡＲ）としてコンテンツを運転者Ｄに提示することができる。また、車線逸脱警告コンテンツについては、重畳距離「近」を設定することで、車両２００と車線との位置関係を、より明確に運転者Ｄに知覚させることができる。なお、車線逸脱警告コンテンツを、上記した重要度の高いコンテンツとしてもよい。この場合、車線逸脱警告コンテンツの重畳距離は、「遠」とすることが好ましい。
【００４１】
図４に戻り、データ項目「表示優先度」には、各コンテンツを表示する際の優先度が設定される。係る表示優先度は、例えば、複数のコンテンツを同時に表示する場合や、その表示位置が競合したような場合に使用され、表示優先度の高いコンテンツが優先的に表示される。図４では、数値が低いほど優先度が高いことを意味している。
【００４２】
なお、表示優先度は、ユニークに設定することが好ましい。また、表示優先度は、事故に繋がるような状況を通知するコンテンツ等、上記した重要度の高いコンテンツほど優先的に表示されるよう設定することが好ましい。例えば、表示優先度は、先行車両との車間距離を相対速度で除したＴＴＣ（Time-To-Collision）が小さいものほど優先的に表示されるよう設定してもよい。このように、各コンテンツの優先度を設定することで、事故に繋がる状況を運転者Ｄに優先して通知することができる。
【００４３】
次に、図６を参照して、表示制御部１２２が実行する表示制御処理について説明する。図６は、表示制御部１２２が実行する表示制御処理の一例を示すフローチャートである。
【００４４】
まず、表示制御部１２２は、コンテンツ選択部１２１から新たなコンテンツの表示が指示されるまで待機する（ステップＳ１１；Ｎｏ）。コンテンツ選択部１２１から新たなコンテンツの表示が指示されると（ステップＳ１１；Ｙｅｓ）、表示制御部１２２は、第２設定情報１３２を参照することで、当該コンテンツの重畳距離（表示位置）を特定する（ステップＳ１２）。なお、コンテンツ選択部１２１から重畳距離が指示された場合には、表示制御部１２２は、ステップＳ１２でその指示された重畳距離を特定する。
【００４５】
続いて、表示制御部１２２は、ステップＳ１２で特定した表示位置と、既に表示されている既存コンテンツの表示位置とを比較し、その表示位置が一致するか否かを判定する（ステップＳ１３）。ここで、両表示位置が一致する場合（ステップＳ１３；Ｙｅｓ）、表示制御部１２２は、両コンテンツを含む画像の生成を画像生成部１２３に指示し（ステップＳ１４）、ステップＳ１１に戻る。
【００４６】
また、両表示位置が一致しない場合（ステップＳ１３；Ｎｏ）、表示制御部１２２は、第２設定情報１３２を参照し、両コンテンツの表示優先度を比較する（ステップＳ１５）。ここで、既存コンテンツの表示優先度の方が高い場合（ステップＳ１６；Ｎｏ）、表示制御部１２２は、新たなコンテンツを非表示とすることで現在の表示状態を維持し、ステップＳ１１に戻る。
【００４７】
また、新たなコンテンツの表示優先度の方が高い場合（ステップＳ１６；Ｙｅｓ）、表示制御部１２２は、表示優先度の低い既存コンテンツの非表示を画像生成部１２３に指示する（ステップＳ１７）。次いで、表示制御部１２２は、ステップＳ１２で特定した表示位置を映像表示装置１１に指示する（ステップＳ１８）。そして、表示制御部１２２は、新たなコンテンツを含む画像の生成を画像生成部１２３に指示し（ステップＳ１９）、ステップＳ１１に戻る。
【００４８】
なお、図６の表示制御処理では、表示優先度が低い方のコンテンツを非表示としたが、これに限らないものとする。例えば、表示制御部１２２は、表示優先度の低いコンテンツのサイズや配置位置の変更を画像生成部１２３に指示することで、表示優先度の高いコンテンツの表示位置に、両方のコンテンツを表示するよう制御してもよい。
【００４９】
図２に戻り、画像生成部１２３は、表示制御部１２２からの指示に応じて、表示対象のコンテンツを含んだ画像を生成する。また、表示制御部１２２から、コンテンツの配置位置やサイズ、表示形態等の変更が指示された場合には、画像生成部１２３は、その指示に従い画像を生成する。そして、画像生成部１２３は、生成した画像を映像表示装置１１に出力する。
【００５０】
なお、画像生成部１２３は、車間距離や速度等、その値がリアルタイムで変化する情報を表示するコンテンツについて、通信部１４で受信される車両情報に基づき、その値をリアルタイムで反映する。また、画像生成部１２３は、画像の背景部分（コンテンツ以外の領域）を黒色とすることで、ウインドシールド２０１に投影された際に、コンテンツのみが表示されるよう画像を加工する。
【００５１】
一方、映像表示装置１１では、投影位置制御機構１１３が、表示制御部１２２から指示された表示位置（高さ）となるよう、ミラー１１２の反射角度θを変更する。そして、作像部１１１が、画像生成部１２３で生成された画像の光線を照射し、当該光線をミラー１１２が反射することで、表示制御部１２２が指示した表示位置に画像（コンテンツ）が表示される。
【００５２】
図７は、映像表示装置１１が表示するコンテンツの見え方を説明するための図である。ここで、図７（ａ）は、レーザ走査方式を用いた場合での見え方を模式的に示している。また、図７（ｂ）は、液晶方式を用いた場合での見え方を模式的に示している。
【００５３】
図７（ａ）、（ｂ）に示すように、コンテンツは、運転者Ｄが車両２００の前方風景をウインドシールド２０１越しに見た際に、その前方風景に重畳された状態で表示される。より詳細には、映像表示装置１１のミラー１１２が反射した光線によって形成される表示領域Ａ１内に、コンテンツが表示される。なお、図７では、コンテンツとして、速度コンテンツＣ１１と、ナビチェックポイントコンテンツＣ１２を表示した例を示している。
【００５４】
ところで、液晶方式では黒色（背景を透過する色）を表示していても、バックライトの光を完全に遮ることができないため、図７（ｂ）に示すように、表示領域Ａ１の全体がうっすら光って表示される。そのため、例えば、表示しているコンテンツを全て消していても、表示領域Ａ１の存在を運転者Ｄが知覚してしまうため、表示領域Ａ１の表示位置を変更したような場合に、不要な刺激を運転者Ｄに与えることになる。
【００５５】
一方、レーザ走査方式の場合には、黒色を表示したいときはレーザの光をゼロにすることで、全く発光させないようにすることができる。そのため、図７（ａ）に示すように、表示領域Ａ１の存在を知覚させずに、コンテンツのみを表示することができる。これにより、例えば、表示しているコンテンツを全て消し、表示領域Ａ１の表示位置を変更したような場合であっても、運転者Ｄは表示領域Ａ１の存在を知覚することは困難であるため、運転者Ｄに対する不要な刺激を抑えることができる。そのため、本実施形態の構成では、作像部１１１をレーザ走査方式とすることが好ましく、レーザ走査方式とすることでコンテンツの提供をより安全に行うことができる。
【００５６】
以下、図８〜図１３を参照して、ＨＵＤ装置１００の動作について説明する。
【００５７】
図８は、ＨＵＤ装置１００の動作を説明するためのシーケンス図である。まず、コンテンツ選択部１２１は、通信部１４を介して車両情報を取得する（ステップＳ２１）。コンテンツ選択部１２１は、第１設定情報１３１と車両情報とに基づき、表示の対象となるコンテンツを決定（選択）する（ステップＳ２２）。次いで、コンテンツ選択部１２１は、ステップＳ２２で選択したコンテンツを表示制御部１２２に指示する（ステップＳ２３）。
【００５８】
表示制御部１２２は、コンテンツ選択部１２１からコンテンツが指示されると、第２設定情報１３２に基づき、上述した表示制御処理（図６参照）を実行することで、コンテンツの表示位置を決定する（ステップＳ２４）。次いで、表示制御部１２２は、コンテンツを含んだ画像の生成を画像生成部１２３に指示するとともに（ステップＳ２５）、ステップＳ２４で決定した表示位置を映像表示装置１１に指示する（ステップＳ２６）。
【００５９】
画像生成部１２３は、表示制御部１２２からの指示に応じて画像を生成すると、その生成した画像を映像表示装置１１に出力する（ステップＳ２７）。そして、映像表示装置１１は、表示制御部１２２から指示された表示位置に、画像生成部１２３で生成された画像（コンテンツ）を表示する。
【００６０】
図９は、ＨＵＤ装置１００により表示されるコンテンツの一例を模式的に示す図である。なお、図９は、運転者Ｄがウインドシールド２０１越しに見た車両２００の前方風景を模式的に示している。
【００６１】
表示制御部１２２は、コンテンツ選択部１２１により速度コンテンツＣ１１の表示が指示されると、画像生成部１２３及び映像表示装置１１を制御することで、ウインドシールド２０１上に速度コンテンツＣ１１を表示させる（図９（ａ）参照）。速度コンテンツＣ１１は、図４に示した第２設定情報１３２の設定内容に従い、ウインドシールド２０１の下方（重畳距離「近」）に位置付けられている。
【００６２】
図９（ａ）の状態で、コンテンツ選択部１２１からナビチェックポイントコンテンツＣ１２の表示が指示されると、表示制御部１２２は、第２設定情報１３２から、ナビチェックポイントコンテンツＣ１２の表示位置を特定する。また、速度コンテンツＣ１１が既に表示されているため、表示制御部１２２は、速度コンテンツＣ１１の表示位置と一致するか否かを判定する。図４に示した第２設定情報１３２では、両コンテンツの表示位置が一致するため、表示制御部１２２は、両コンテンツを表示するよう制御する。
【００６３】
例えば、表示制御部１２２は、新たに表示するナビチェックポイントコンテンツＣ１２を、運転者Ｄが注視している可能性の高い遠くの領域、つまり速度コンテンツＣ１１の上方に配置するよう画像生成部１２３に指示する。また、表示制御部１２２は、映像表示装置１１に対し、表示位置（表示領域Ａ１）を上方に移動することを指示する。これにより、図９（ｂ）に示す表示状態が実現される。このように表示することで、次のチェックポイントが接近したことを、より確実に運転者Ｄに通知することができる。
【００６４】
そして、表示制御部１２２は、ナビチェックポイントコンテンツＣ１２を表示してから所定時間が経過すると、速度コンテンツＣ１１の下方にナビチェックポイントコンテンツＣ１２を配置するよう画像生成部１２３に指示する。また、表示制御部１２２は、映像表示装置１１に対し、表示位置（表示領域Ａ１）を下方に移動することを指示する。これにより、図９（ｃ）に示す表示状態が実現される。
【００６５】
図１０は、図９に示したコンテンツの表示方法を説明するための図である。なお、図１０（ａ）〜図１０（ｆ）は、図９（ａ）〜図９（ｃ）にかけての表示領域Ａ１の変化を詳細に示している。
【００６６】
図１０（ａ）は、図９（ａ）の表示領域Ａ１の状態に対応する。表示領域Ａ１は、下方に位置付けられており、速度コンテンツＣ１１を表示している。図１０（ａ）の状態でナビチェックポイントコンテンツＣ１２の表示が指示されると、表示制御部１２２は、ナビチェックポイントコンテンツＣ１２を表示したい位置（高さ）まで表示領域Ａ１を移動させる（図１０（ｂ）参照）。次いで、表示制御部１２２は、速度コンテンツＣ１１の上方にナビチェックポイントコンテンツＣ１２を表示させる（図１０（ｃ）参照）。このとき、表示制御部１２２は、ナビチェックポイントコンテンツＣ１２をフェードインで表示させてもよい。
【００６７】
ナビチェックポイントコンテンツＣ１２を表示してから所定時間が経過すると、表示制御部１２２は、ナビチェックポイントコンテンツＣ１２を非表示とする（図１０（ｄ）参照）。このとき、表示制御部１２２は、ナビチェックポイントコンテンツＣ１２をフェードアウトで消去してもよい。
【００６８】
続いて、表示制御部１２２は、表示領域Ａ１を元の高さに移動させる（図１０（ｅ）参照）。そして、表示制御部１２２は、速度コンテンツＣ１１の下方にナビチェックポイントコンテンツＣ１２を表示させる（図１０（ｆ）参照）。このとき、表示制御部１２２は、ナビチェックポイントコンテンツＣ１２をフェードインで表示させてもよい。
【００６９】
また、表示制御部１２２は、図１０（ａ）〜図１０（ｆ）に亘り、ウインドシールド２０１上で速度コンテンツＣ１１が表示される高さが定位置となるよう画像中での速度コンテンツＣ１１の配置位置を画像生成部１２３に指示してもよい。これにより、速度コンテンツＣ１１の視認性を向上することができるため、運転者Ｄの利便性を高めることができる。また、表示制御部１２２は、情報の重要度（優先度）が高くないものについては、表示の輝度を低下させる等することで目立たないよう制御してもよい。
【００７０】
また、表示領域Ａ１の移動速度は、特に問わないものとする。例えば、表示制御部１２２は、映像表示装置１１（投影位置制御機構１１３）に移動速度を指示することで、移動速度を制御可能な構成としてもよい。
【００７１】
図１１は、ＨＵＤ装置１００により表示されるコンテンツの他の例を模式的に示す図である。なお、図１１は、運転者Ｄがウインドシールド２０１越しに見た車両２００の前方風景を模式的に示している。
【００７２】
図１１（ａ）は、図９（ｃ）での表示領域Ａ１の状態に対応する。図１１（ａ）の状態において、コンテンツ選択部１２１から車間距離コンテンツＣ１３を上方（重畳距離「遠」）に表示することが指示されると、表示制御部１２２は、既存のコンテンツ（Ｃ１１、Ｃ１２）の表示位置と比較する。ここで、既存のコンテンツは、ウインドシールド２０１の下方に表示されているため、表示制御部１２２は、第２設定情報１３２に設定された優先度に基づき、車間距離コンテンツＣ１３を優先的に表示するよう制御する。
【００７３】
具体的には、表示制御部１２２は、車間距離コンテンツＣ１３を表示する高さに向かって表示領域Ａ１を上方に移動させる。この表示領域Ａ１の移動に伴い、表示制御部１２２は、既存のコンテンツを非表示とする（図１１（ｂ）参照）。この図１１（ｂ）では、車間距離コンテンツＣ１３の下部に、サイズを縮小した速度コンテンツＣ１１を表示した例を示している。また、表示領域Ａ１を更に上方に移動する場合には、図１１（ｃ）に示すように、速度コンテンツＣ１１を非表示とし、車間距離コンテンツＣ１３のみ表示させてもよい。このとき、表示制御部１２２は、既存コンテンツをフェードアウトで消去してもよい。
【００７４】
ここで、図１２は、図１１で表示される画像と、表示領域Ａ１との関係を説明するための図である。全体像Ｇ１は、図１１（ａ）〜図１１（ｃ）にかけて表示される画像の全体像を示している。全体像Ｇ１の上下方向（縦方向）は、ウインドシールド２０１上での上下方向の位置に対応する。
【００７５】
図１２に示すように、表示領域Ａ１のサイズは、全体像Ｇ１のサイズよりも小さいため、全体像Ｇ１の一部しか表示することができない。しかしながら、本実施形態のＨＵＤ装置１００では、表示領域Ａ１の移動に伴い、その表示位置に応じたコンテンツを表示領域Ａ１に表示することができるため、表示領域Ａ１を下方から上方に向けて移動することで、全体像Ｇ１を運転者Ｄに提示することができる。
【００７６】
図１３は、図１１に示したコンテンツの表示方法を説明するための図である。なお、図１３（ａ）〜図１３（ｄ）は、図１１（ａ）〜図１１（ｂ）にかけての表示領域Ａ１の変化を詳細に示している。
【００７７】
図１３（ａ）は、図１１（ａ）の表示領域Ａ１の状態に対応する。表示領域Ａ１は、下方に位置付けられており、速度コンテンツＣ１１及びナビチェックポイントコンテンツＣ１２を表示している。図１３（ａ）の状態で車間距離コンテンツＣ１３の表示が指示されると、表示制御部１２２は、この車間距離コンテンツＣ１３を優先的に表示するよう動作し、表示領域Ａ１を上方に徐々に移動させる（図１３（ｂ）参照）。このとき、表示が見切れるナビチェックポイントコンテンツＣ１２については、表示領域Ａ１の下方に向かって透明度が上がるようにグラデーションをかけて表示を消してもよい。
【００７８】
表示制御部１２２は、表示領域Ａ１の移動を継続させながら、車間距離コンテンツＣ１３を徐々に表示させる（図１３（ｃ）参照）。このとき、このまま表示領域Ａ１の移動を継続すると、ウインドシールド２０１の下方に表示するよう設定された速度コンテンツＣ１１の表示が見切れることになる。そこで、表示制御部１２２は、速度コンテンツＣ１１のサイズの縮小や配置位置の変更を画像生成部１２３に指示することで、車間距離コンテンツＣ１３の下部に速度コンテンツＣ１１が表示されるよう制御する。これにより、表示制御部１２２は、速度コンテンツＣ１１と車間距離コンテンツＣ１３とを同時に表示することができる（図１３（ｄ）参照）。
【００７９】
以上のように、ＨＵＤ装置１００は、車両情報に基づいて表示するコンテンツを決定し、当該コンテンツに応じてウインドシールド２０１上での表示位置を決定する。そして、ＨＵＤ装置１００は、映像表示装置１１の投影位置制御機構１１３を制御することで、決定した表示位置にコンテンツを表示させる。これにより、ＨＵＤ装置１００は、表示の対象となるコンテンツに応じて、当該コンテンツを表示する位置を変更することができるため、各コンテンツを運転者Ｄにより確実に認識させることができる。
【００８０】
例えば、ＨＵＤ装置１００は、コンテンツの重要度に応じて表示する位置を変更することができるため、重要事項をより確実に運転者Ｄに認識させることができる。また、例えば、ＨＵＤ装置１００は、現実環境に対応した位置にコンテンツを表示させることができるため、現実を拡張する手段（ＡＲ）として運転者Ｄにコンテンツを提示することができる。
【００８１】
［第２の実施形態］
次に、第２の実施形態について説明する。第２の実施形態では、表示位置の決定に、運転者Ｄの視線方向を追加する場合の構成について説明する。なお、第１の実施形態と同様の要素については、同一の符号を付与し説明を省略する。
【００８２】
図１４は、第２の実施形態に係るＨＵＤ装置を搭載した自動車の構成を模式的に示す図である。また、図１５は、第２の実施形態に係るＨＵＤ装置の内部構成を模式的に示す図である。
【００８３】
ＨＵＤ装置１００ａは、映像表示装置１１と、制御部１２ａと、メモリ１３と、通信部１４と、撮像部１５とを備える。なお、図１４では、制御部１２ａ、メモリ１３及び通信部１４の図示を省略している。
【００８４】
撮像部１５は、車両２００内の運転者Ｄを撮像可能な位置に設置される。より詳細には、撮像部１５は、運転者Ｄの顔（目）を撮像可能な位置に設置される。なお、撮像部１５は、車両２００に予め搭載された車載カメラ（外部装置）としてもよい。この場合、撮像部１５で撮像された撮像画像は、通信部１４を介して制御部１２ａに入力される。
【００８５】
制御部１２ａは、図１５に示すように、コンテンツ選択部１２１と、表示制御部１２２ａと、画像生成部１２３と、視線検出部１２４とを機能部として備える。これらの機能部の一部又は全ては、プロセッサと、ＲＯＭやメモリ１３に記憶されたプログラムとの協働によりＲＡＭ上に実現されるソフトウェア構成としてもよい。また、これらの機能部の一部又は全ては、各機能を実現するよう設計された一又は複数の処理回路によって実現されるハードウェア構成としてもよい。
【００８６】
視線検出部１２４は、撮像部１５で撮像された運転者Ｄの顔画像等に基づき、ウインドシールド２０１面における運転者Ｄの視線位置を検出する。なお、視線位置を検出する方法は、例えば、アイトラッキング等の公知の技術を用いることができる。
【００８７】
表示制御部１２２ａは、第１の実施形態の表示制御部１２２と同様の機能を備える。また、表示制御部１２２ａは、視線検出部１２４で検出される視線位置に基づいて、ウインドシールド２０１上でのコンテンツの表示位置（高さ）を変更する。
【００８８】
図１６は、表示制御部１２２ａが実行する表示位置変更処理の一例を示すフローチャートである。なお、本処理は、図６で説明した表示制御処理のバックグラウンドで実行されるものである。
【００８９】
まず、表示制御部１２２ａは、視線検出部１２４で検出された運転者Ｄの視線位置を取得する（ステップＳ３１）。次いで、表示制御部１２２ａは、現在表示中の既存コンテンツの表示位置が、視線検出部１２４で検出された運転者Ｄの視線位置と略同一か否かを判定する（ステップＳ３２）。ここで、略同一と判定した場合（ステップＳ３２；Ｙｅｓ）、表示制御部１２２ａは、ステップＳ３１に処理を戻す。
【００９０】
また、コンテンツの表示位置と運転者Ｄの視線位置とがずれていると判定した場合（ステップＳ３２；Ｎｏ）、表示制御部１２２ａは、視線位置に応じた表示位置に変更することを映像表示装置１１に指示する（ステップＳ３３）。
【００９１】
続いて、表示制御部１２２ａは、表示位置の変更に伴い、既存コンテンツの中に、表示が見切れてしまうコンテンツが存在するか否かを判定する（ステップＳ３４）。ここで、表示制御部１２２ａは、表示が見切れてしまうコンテンツが存在しないと判定すると（ステップＳ３４；Ｎｏ）、ステップＳ３１に処理を戻す。
【００９２】
一方、表示が見切れてしまうコンテンツが存在する場合（ステップＳ３４；Ｙｅｓ）、表示制御部１２２ａは、そのコンテンツの配置位置やサイズの変更を画像生成部１２３に指示し（ステップＳ３５）、ステップＳ３１に処理を戻す。これにより、表示位置の変更に伴い表示が見切れてしまうコンテンツを、表示位置の変更後も表示させることができる。なお、表示制御部１２２ａは、区分がＡＲのコンテンツや、表示優先度が所定値以下のコンテンツが見切れた場合には、表示位置の変更に伴い、そのコンテンツを非表示としてもよい。
【００９３】
次に、図１７〜図２１を参照して、上述した表示制御部１２２ａの動作について説明する。なお、図１７〜図２１は、表示領域Ａ１（コンテンツ）の表示位置と、運転者Ｄの視線位置との関係を説明するための図であり、運転者Ｄがウインドシールド２０１越しに見た車両２００の前方風景を模式的に示している。
【００９４】
図１７に示すように、表示領域Ａ１と視線位置Ｐ１とが近接しているような場合、表示制御部１２２ａは、上述したステップＳ３２において、両位置が略同一と判定する。一方、図１８に示すように、表示領域Ａ１と視線位置Ｐ１とが離れているような場合、表示制御部１２２ａは、上述したステップＳ３２において、両位置がずれていると判定する。この場合、表示制御部１２２ａは、ステップＳ３３において、視線位置Ｐ１のやや下方等、視線位置Ｐ１に応じた高さに表示領域Ａ１の表示位置を変更する。これにより、表示領域Ａ１は、図１９に示すように、視線位置Ｐ１に近接した位置に移動される。
【００９５】
なお、図２０に示すように、運転者Ｄの視線位置Ｐ１が、表示領域Ａ１を移動させることが可能な範囲外にあるような場合、表示制御部１２２は、視線位置Ｐ１の高さに合わせて表示領域Ａ１の表示位置を変更させるものとする。
【００９６】
また、運転者Ｄの視線位置Ｐ１は、頻繁に移動することもあるため、移動の度に表示領域Ａ１の表示位置を変更していては、かえって視認性の低下に繋がる可能性もある。そこで、視線位置Ｐ１を単位時間（例えば５秒）毎に集計し、その集計結果に基づいて表示領域Ａ１の表示位置を決定してもよい。以下、この形態の一例について図２１を参照して説明する。
【００９７】
まず、表示制御部１２２ａは、図２１に示すように、運転者Ｄから見たウインドシールド２０１上の領域を上下方向に分割した複数の小領域Ａ２１〜Ａ２８を設定する。ここで、分割する個数は特に問わないものとする。
【００９８】
次いで、表示制御部１２２ａは、所定の単位時間の間、視線位置Ｐ１を取得し、その単位時間内に得られた視線位置Ｐ１の集計結果から、基準位置を決定する。例えば、単位時間内に得られた視線位置Ｐ１が、図２１に示す状態の場合、表示制御部１２２ａは、視線位置Ｐ１が最も多く出現した小領域Ａ２３を基準位置とする。そして、表示制御部１２２ａは、この特定した基準位置を基準に、表示領域Ａ１の変更先となる表示位置を決定する。図２１では、小領域Ａ２３を基準に表示領域Ａ１を位置付けた例を示している。なお、視線位置Ｐ１が最も多く出現した小領域が複数存在する場合には、表示制御部１２２ａは、例えば、より下方に位置する小領域を選択する等することで、一の小領域（基準位置）を決定する。
【００９９】
なお、視線位置Ｐ１の集計方法は上記例に限らず、他の方法を用いてもよい。例えば、表示制御部１２２ａは、単位時間内に得られた視線位置Ｐ１の平均値や中央値を求め、それらの値を基準位置として、表示領域Ａ１の変更先となる表示位置を決定してもよい。なお、この場合、小領域の分割設定は不要としてもよい。
【０１００】
次に、図２２を参照して、ＨＵＤ装置１００ａの動作について説明する。図２２は、ＨＵＤ装置１００ａの動作を説明するためのシーケンス図である。なお、ステップＳ４１〜Ｓ４７は、図８で説明したステップＳ２１〜Ｓ２７と同様であるため説明を省略する。
【０１０１】
表示制御部１２２ａは、視線検出部１２４で検出された視線位置を取得する（ステップＳ４８）。次いで、表示制御部１２２ａは、上述した表示位置変更処理（図１６参照）を実行することで、表示領域Ａ１の変更先となる表示位置を決定する（ステップＳ４９）。次いで、表示制御部１２２ａは、変更先の表示位置を映像表示装置１１に指示する（ステップＳ５０）。
【０１０２】
以上のように、ＨＵＤ装置１００ａは、ウインドシールド２０１上でのコンテンツの表示位置を、運転者Ｄの視線位置に応じて変更する。これにより、運転者Ｄの視線位置の近傍に、運転支援に係るコンテンツを表示させることができるため、視認性の向上を図ることができる。
【０１０３】
以上、本発明の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【０１０４】
例えば、上記実施形態では、図１に示したミラー１１２の反射角度θを変更することで、ウインドシールド２０１上での表示位置を上下方向（高さ方向）に変更可能な構成としたが、変更可能な方向はこれに限らないものとする。例えば、ミラー１１２の回転軸を、２軸や３軸に増やすことで、ウインドシールド２０１上での表示位置を上下左右方向に変更可能な構成としてもよい。なお、投影位置制御機構１１３は、ミラー１１２の反射方向を各回転軸周りに変更することが可能な構成を有するものとする。
【０１０５】
また、上記実施形態では、ＨＵＤ装置１００（１００ａ）は、映像表示装置１１と制御部１２（１２ａ）、とメモリ１３と、通信部１４とを備えるものとしたが、これに限らず、映像表示装置１１を独立したＨＵＤ装置として、制御部１２（１２ａ）、メモリ１３及び通信部１４と分離してもよい。この場合、制御部１２（１２ａ）、メモリ１３及び通信部１４は、独立した情報表示装置として機能し、映像表示装置１１と協働することで、ウインドシールド２０１上に各種のコンテンツを表示させる。
【０１０６】
また、上記実施形態の情報表示装置、情報表示システムで実行されるプログラムは、インストール可能な形式または実行可能な形式のファイルでフロッピー（登録商標）ディスク、ＣＤ（Compact  Disc）、ＣＤ−Ｒ（Compact  Disc-Recordable）、ＣＤ−ＲＯＭ（Compact  Disc  Read  Only  Memory）、ＤＶＤ（Digital  Versatile  Disc）、ＳＤメモリカード（SD  memory  card）、ＵＳＢメモリ（Universal  Serial  Bus  memory）等のコンピュータで読み取り可能な記録媒体に記録して提供するように構成してもよい。
【０１０７】
また、上記実施形態の情報表示装置、情報表示システムで実行されるプログラムを、インターネット等のネットワークに接続されたコンピュータ上に格納し、ネットワーク経由でダウンロードさせること等により提供するように構成してもよい。
【符号の説明】
【０１０８】
１００、１００ａ  ＨＵＤ装置
２００  車両
２０１  ウインドシールド
１１  映像表示装置
１２、１２ａ  制御部
１３  メモリ
１４  通信部
１５  撮像部
１１１  作像部
１１２  ミラー
１１３  投影位置制御機構
１２１  コンテンツ選択部
１２２、１２２ａ  表示制御部
１２３  画像生成部
１２４  視線検出部
【先行技術文献】
【特許文献】
【０１０９】
【特許文献１】特開２０１５−１８４６２５号公報
【図１】
2017215816.tif 000003
【図２】
2017215816.tif 000004
【図３】
2017215816.tif 000005
【図４】
2017215816.tif 000006
【図５】
2017215816.tif 000007
【図６】
2017215816.tif 000008
【図７】
2017215816.tif 000009
【図８】
2017215816.tif 000010
【図９】
2017215816.tif 000011
【図１０】
2017215816.tif 000012
【図１１】
2017215816.tif 000013
【図１２】
2017215816.tif 000014
【図１３】
2017215816.tif 000015
【図１４】
2017215816.tif 000016
【図１５】
2017215816.tif 000017
【図１６】
2017215816.tif 000018
【図１７】
2017215816.tif 000019
【図１８】
2017215816.tif 000020
【図１９】
2017215816.tif 000021
【図２０】
2017215816.tif 000022
【図２１】
2017215816.tif 000023
【図２２】
2017215816.tif 000024